(57)【要約】【課題】遊技領域上にて死に領域と化している遊技球の発射領域とは反対側の領域も活用し、遊技領域の中心部に遊技球を戻すことにより、従来のアウト球を入賞口に入賞する可能性が高いものに変換することで、遊技の興趣を高めることができる遊技機を提供する。【解決手段】遊技盤面１１上の遊技領域１２に遊技球を打ち出す遊技機１０において、遊技球は前記遊技領域１２の一端側下方より他端側上方に向けて打ち出され、前記遊技領域１２の他端側に、飛来した遊技球を前記遊技領域１２の中心部１２ａであって少なくとも１ヶ所以上に入賞口３１等が配設された箇所に向けて誘導するガイド部材２０を設けた。【選択図】図１
2012183271.tif 000002
【特許請求の範囲】
【請求項１】
遊技盤面上の遊技領域に遊技球を打ち出す遊技機において、
遊技球は前記遊技領域の一端側下方より他端側上方に向けて打ち出され、
前記遊技領域の他端側に、飛来した遊技球を前記遊技領域の中心部であって少なくとも１ヶ所以上に入賞口が配設された箇所に向けて誘導するガイド部材を設けたことを特徴とする遊技機。
【請求項２】
前記遊技盤面上で前記遊技領域は、その外周に沿って設けられたガイドレールによって区画され、
前記ガイド部材は、前記ガイドレールのうち前記遊技領域の他端側上方を区画する部位に配設されたことを特徴とする請求項１に記載の遊技機。
【請求項３】
前記ガイド部材は、遊技球を受ける側に向って湾曲した弧状に形成されていることを特徴する請求項１または２に記載の遊技機。
【請求項４】
前記ガイド部材は、複数が並ぶように配設されたことを特徴とする請求項１，２または３に記載の遊技機。
【請求項５】
前記ガイド部材は、前記遊技領域の他端側のみならず一端側にも配設されたことを特徴とする請求項４に記載の遊技機。
【請求項６】
前記ガイド部材における遊技球の放出端を、前記入賞口に向けて配置したことを特徴とする請求項１，２，３，４または５に記載の遊技機。
【請求項７】
前記ガイド部材の適所に、遊技球の通過を検知するセンサを設けたことを特徴とする請求項６に記載の遊技機。
【請求項８】
前記入賞口は、その入口を開閉する可動片を有し、
前記センサが遊技球の通過を検知した際に、前記可動片を通常の閉状態から所定時間に亘り開状態に開くことを特徴とする請求項７に記載の遊技機。
【請求項９】
前記ガイド部材は、所定幅で延びる板状部材によって形成したことを特徴とする請求項１，２，３，４，５，６，７または８に記載の遊技機。
【請求項１０】
前記ガイド部材は、所定幅で延びる管状部材によって形成したことを特徴とする請求項１，２，３，４，５，６，７または８に記載の遊技機。
【請求項１１】
前記ガイド部材は、回転軸を介して揺動可能に配設されたことを特徴とする請求項１，２，３，４，５，６，７，８，９または１０に記載の遊技機。
【発明の詳細な説明】
【技術分野】
【０００１】  本発明は、遊技盤面上の遊技領域に遊技球を打ち出す遊技機に関する。ここで遊技機とは、主としてパチンコ機を指すものである。
【背景技術】
【０００２】  従来、この種の遊技機は、遊技盤面の左端下方に遊技球の発射装置が設けられており、この発射装置から発射された遊技球は、左斜め上向きに取り付けられた発射レールに案内された後、遊技盤面の左端に沿って取り付けられた外レールと内レールの間を通って左上コーナーより遊技領域の右側に向けて打ち出されるタイプが多く知られている（例えば、特許文献１参照）。
【先行技術文献】
【特許文献】
【０００３】
【特許文献１】特開２００６−６１６３８号公報
【発明の概要】
【発明が解決しようとする課題】
【０００４】  しかしながら、前述した従来の遊技機では、遊技領域の右側に打ち出された遊技球は、外レールに沿ってそのままアウト球口に導かれる可能性が高いため、何れかの入賞口に入賞する可能性に乏しく、単にアウト球として処理されることが多かった。よって、遊技者は遊技領域の右側に打ち出された遊技球の行方に関心もなく、いわば遊技領域の右側部分は遊技されない領域、すなわち死に領域と化し、遊技の面白味に欠けるという問題点があった。【０００５】  本発明は、以上のような従来技術の有する問題点に着目してなされたものであり、遊技領域上でいわゆる死に領域と化している遊技球の発射領域とは反対側の領域も活用して、遊技領域の中心部に遊技球を戻すことにより、従来のアウト球を入賞口に入賞する可能性が高いものに変換することで、遊技の興趣を高めることができる遊技機を提供することを目的としている。
【課題を解決するための手段】
【０００６】  前述した目的を達成するための本発明の要旨とするところは、以下の各項の発明に存する。
［１］遊技盤面（１１）上の遊技領域（１２）に遊技球を打ち出す遊技機（１０）において、
遊技球は前記遊技領域（１２）の一端側下方より他端側上方に向けて打ち出され、
前記遊技領域（１２）の他端側に、飛来した遊技球を前記遊技領域（１２）の中心部（１２ａ）であって少なくとも１ヶ所以上に入賞口（３１等）が配設された箇所に向けて誘導するガイド部材（２０，２２）を設けたことを特徴とする遊技機（１０）。【０００７】  ［２］前記遊技盤面（１１）上で前記遊技領域（１２）は、その外周に沿って設けられたガイドレール（１７）によって区画され、
前記ガイド部材（２０，２２）は、前記ガイドレール（１７）のうち前記遊技領域（１２）の他端側上方を区画する部位に配設されたことを特徴とする［１］に記載の遊技機（１０）。【０００８】  ［３］前記ガイド部材（２０，２２）は、遊技球を受ける側に向って湾曲した弧状に形成されていることを特徴する［１］または［２］に記載の遊技機（１０）。【０００９】  ［４］前記ガイド部材（２０，２２）は、複数が並ぶように配設されたことを特徴とする［１］，［２］または［３］に記載の遊技機（１０）。【００１０】  ［５］前記ガイド部材（２０，２２）は、前記遊技領域（１２）の他端側のみならず一端側にも配設されたことを特徴とする［４］に記載の遊技機（１０）。【００１１】  ［６］前記ガイド部材（２０，２２）における遊技球の放出端（２１）を、前記入賞口（３１等）に向けて配置したことを特徴とする［１］，［２］，［３］，［４］または［５］に記載の遊技機（１０）。【００１２】  ［７］前記ガイド部材（２０，２２）の適所に、遊技球の通過を検知するセンサ（３７）を設けたことを特徴とする［６］に記載の遊技機（１０）。【００１３】  ［８］前記入賞口（３６）は、その入口を開閉する可動片（３６ａ）を有し、
前記センサ（３７）が遊技球の通過を検知した際に、前記可動片（３６ａ）を通常の閉状態から所定時間に亘り開状態に開くことを特徴とする［７］に記載の遊技機（１０）。【００１４】  ［９］前記ガイド部材（２０）は、所定幅で延びる板状部材によって形成したことを特徴とする［１］，［２］，［３］，［４］，［５］，［６］，［７］または［８］に記載の遊技機（１０）。【００１５】  ［１０］前記ガイド部材（２２）は、所定幅で延びる管状部材によって形成したことを特徴とする［１］，［２］，［３］，［４］，［５］，［６］，［７］または［８］に記載の遊技機（１０）。【００１６】  ［１１］前記ガイド部材（２０，２２）は、回転軸を介して揺動可能に配設されたことを特徴とする［１］，［２］，［３］，［４］，［５］，［６］，［７］，［８］，［９］または［１０］に記載の遊技機（１０）。【００１７】  前記本発明は、次のように作用する。
前記［１］に記載の遊技機（１０）によれば、遊技球は遊技領域（１２）の一端側下方より他端側上方に向けて打ち出されるが、ここで遊技球が打ち出される側と反対側である遊技領域（１２）の他端側にガイド部材（２０，２２）を設ける。かかるガイド部材（２０，２２）によって、遊技領域（１２）の他端側に飛来した遊技球は、遊技領域（１２）の中心部（１２ａ）であって少なくとも１ヶ所以上に入賞口（３１等）が配設された箇所に向けて誘導される。【００１８】  これにより、遊技領域（１２）上にて死に領域と化していた遊技球の発射領域とは反対側の領域も活用して、前記ガイド部材（２０，２２）により、遊技領域（１２）の他端側に飛来した遊技球を遊技領域（１２）の中心部（１２ａ）、かつ入賞口（３１等）が配設された箇所まで戻すように誘導することになる。従って、従来のアウト球を入賞口（３１等）に入賞する可能性が高いものに変換することができる。【００１９】  前記［２］に記載の遊技機（１０）によれば、前記遊技盤面（１１）上で遊技領域（１２）は、その外周に沿って設けられたガイドレール（１７）によって区画される。そこで、前記ガイド部材（２０，２２）を、ガイドレール（１７）のうち遊技領域（１２）の他端側上方を区画する部位に配設することにより、ガイド部材（２０，２２）を特別な支持手段を別途新設することなく最適な位置に配することができる。【００２０】  前記［３］に記載の遊技機（１０）によれば、前記ガイド部材（２０，２２）は、遊技球を受ける側に向って湾曲した弧状に形成されている。これにより、ガイド部材（２０，２２）まで飛んできて受け止めた遊技球をスムーズに入賞口（３１等）のある箇所まで誘導することができる。【００２１】  前記［４］に記載の遊技機（１０）によれば、前記ガイド部材（２０，２２）は、複数が並ぶように配設されている。これにより、より多数の遊技球を遊技領域（１２）の中心部（１２ａ）で入賞口（３１等）が配設された箇所まで誘導することができる。【００２２】  前記［５］に記載の遊技機（１０）によれば、前記ガイド部材（２０，２２）は、前記遊技領域（１２）の他端側のみならず一端側にも配設する。これにより、いっそう確実に遊技球を遊技領域（１２）の中心部（１２ａ）で入賞口（３１等）が配設された箇所まで誘導することができる。【００２３】  前記［６］に記載の遊技機（１０）によれば、前記ガイド部材（２０，２２）における遊技球の放出端（２１）を、前記入賞口（３１等）に向けて配置する。これにより、ガイド部材（２０，２２）より入賞口（３１等）に向けて遊技球を直接誘導することになり、遊技球を確実に入賞口（３１等）に入賞させることができる。【００２４】  前記［７］に記載の遊技機（１０）によれば、前記ガイド部材（２０，２２）の適所に、遊技球の通過を検知するセンサ（３７）を設ける。これにより、ガイド部材（２０，２２）への遊技球の通過に連動させて各種制御を行うことが可能となる。【００２５】  前記［８］に記載の遊技機（１０）によれば、前記入賞口（３６）は、その入口を開閉する可動片（３６ａ）を有し、前記センサ（３７）が遊技球の通過を検知した際に、前記可動片（３６ａ）を通常の閉状態から��定時間に亘り開状態に開く。このように、ガイド部材（２０，２２）への遊技球の通過に連動させて入賞口（３６）の可動片（３６ａ）を開く制御によって、より確実に遊技球を入賞口（３６）に入賞させることができる。【００２６】  前記［９］に記載の遊技機（１０）によれば、前記ガイド部材（２０）は、所定幅で延びる板状部材によって形成する。これにより、ガイド部材（２０）を安価に製作することができコスト低減が可能となる。【００２７】  前記［１０］に記載の遊技機（１０）によれば、前記ガイド部材（２２）は、所定幅で延びる管状部材によって形成する。このようなガイド部材（２２）によれば、その内部を遊技球が通過することにより、遊技球を確実に所望の位置まで導くことができる。【００２８】  前記［１１］に記載の遊技機（１０）によれば、前記ガイド部材（２０，２２）は、回転軸を介して揺動可能に配設する。これにより、ガイド部材（２０，２２）によって遊技球が導かれる方向を揺動に伴い様々に変化させることができる。
【発明の効果】
【００２９】  本発明に係る遊技機によれば、遊技領域上にて死に領域と化している遊技球の発射領域とは反対側の領域も活用して、遊技領域の中心部に遊技球を戻すことにより、従来のアウト球を入賞口に入賞する可能性が高いものに変換することで、遊技の興趣を高めることができる。
【図面の簡単な説明】
【００３０】
【図１】  本発明の第１実施の形態に係る遊技機を示す正面図である。
【図２】  本発明の第２実施の形態に係る遊技機の遊技盤を示す正面図である。
【図３】  本発明の第３実施の形態に係る遊技機を示す正面図である。
【図４】  本発明の第３実施の形態に係る遊技機のガイド部材を拡大して示す斜視図である。
【図５】  本発明の第４実施の形態に係る遊技機の遊技盤を示す正面図である。
【図６】  本発明の第５実施の形態に係る遊技機の遊技盤を示す正面図である。
【図７】  本発明の第６実施の形態に係る遊技機を示す正面図である。
【図８】  本発明の第７実施の形態に係る遊技機を示す正面図である。
【図９】  本発明の第８実施の形態に係る遊技機の遊技盤を示す正面図である。
【図１０】  本発明の第８実施の形態に係る遊技機のガイド部材の変形例を拡大して示す斜視図である。
【発明を実施するための形態】
【００３１】  以下、図面に基づき、本発明を代表する各種実施の形態を説明する。
図１は、本発明の第１実施の形態に係る遊技機１０を示している。
図１に示すように、遊技機１０は、遊技盤面１１上に遊技球（以下「球」とも称する）を打ち出して遊技を行うパチンコ機である。遊技機１０は、打ち出された遊技球が落下して遊技を進行させる役物等が取り付けられた遊技領域１２をなす遊技盤面１１と、遊技領域１２の正面を覆うガラスを固定するガラス枠１３等を有している。
【００３２】  ガラス枠１３には、装飾装置であるランプ・ＬＥＤ等が組み付けられている。また、ガラス枠１３の下方には、遊技球である貸球や賞球を貯留する上受け皿１４、上受け皿１４から溢れた遊技球を貯留する下受け皿１５、遊技球の打ち出し操作を遊技者が行うハンドル１６等が設けられている。なお、図示省略したが遊技機１０には、有価価値カードの挿入により遊技球を貸し出すためのカードユニット（ＣＲ球貸機）が付設されている。
【００３３】  遊技盤面１１上の遊技領域１２は、その外周に沿って設けられたガイドレールである外側レール１７によって区画されている。遊技領域１２の正面視において左側端縁を区画する位置には、前記ハンドル１６の回転操作により内部の発射装置（図示せず）から打ち出された遊技球を遊技領域１２の上方へ導くための誘導レールである内側レール１８が設けられている。
【００３４】  内側レール１８によって、遊技球は遊技領域１２の左端（一端）側下方より右端（他端）側上方に向けて打ち出される。遊技領域１２の右端側には、飛来した遊技球を遊技領域１２の中心部１２ａであって少なくとも１ヶ所以上に入賞口が配設された箇所に向けて誘導するガイド部材２０が設けられている。
【００３５】  ガイド部材２０は、前記外側レール１７のうち遊技領域１２の右端側上方を区画する部位に配設されている。詳しく言えば、ガイド部材２０は、所定幅で延びる板状部材によって形成され、遊技球を受ける側に向って湾曲した弧状に形成されている。ここでガイド部材２０における遊技球の放出端２１は、次述する入賞口のうち右側のスルーチャッカー３１に向けて配置されている。
【００３６】  また、遊技領域１２には、前記内側レール１８より放出された遊技球が落下する経路に変化を与えるための天釘を含む遊技釘や風車等の他、入賞口として左右一対のスルーチャッカー３１，３１、中心部１２ａの下方に位置する始動入賞口３２、さらにその下方に位置する大入賞口３３が配設されている。また、遊技領域１２の最下端には、何れの入賞口にも入らず落下した遊技球を排出するためのアウト口１９が設けられている。
【００３７】  ここでスルーチャッカー３１は、遊技球が通過することにより、例えば普通図柄表示装置（図示せず）で識別情報を変動させるための一般入賞口である。始動入賞口３２は、遊技球の入賞により次述する表示装置３４での表示遊技を実行する権利を確保する入賞口である。大入賞口３３は、特別遊技状態として開閉動作を行う入賞口である。なお、始動入賞口３２は開閉可能であり、前記普通図柄表示装置で当たりとなった場合に通常の閉状態から開状態に一時的に変位するように設定されている。
【００３８】  さらに、遊技領域１２の中心部１２ａにおける中央には、メイン役物である表示装置３４が配設されている。この表示装置３４は、複数の識別情報である図柄を表示可能な第１種役物装置である。すなわち、表示装置３４は、表示遊技の結果に関係する図柄（例えば数字）や、表示遊技の演出表示に関係する各種画像（例えば背景）を変動表示させるものである。前記始動入賞口３２に遊技球が入賞すると、表示装置３４における表示遊技の権利が獲得されて表示遊技が実行される。
【００３９】  表示遊技では、複数種類の識別情報が変動表示され、最終的に停止した識別情報の組み合わせが、予め定められた特定の組み合わせ（例えば「７７７」とぞろ目に揃った場合等）である特定表示態様（以下「大当たり」とも言う。）に確定すれば、特別遊技状態が発生する。
【００４０】  表示遊技の結果が、図柄のうち確変図柄（例えば奇数図柄「１」、「３」、「５」、「７」、「９」）の何れかで全て同一種類に揃う特定表示態様（確率変動大当たり）に確定した場合には、確率変動状態を伴う特別遊技状態が発生することになる。すなわち、確変図柄で揃った特定表示態様（確率変動大当たり）が確定すると、これに基づき発生した特別遊技状態が終了した後、次回の特別遊技状態が発生するまで、表示遊技の結果が特定表示態様に確定する大当たり確率が高確率に変化する。
【００４１】  確率変動状態中には、表示装置３４における表示遊技の変動時間が短縮される時間短縮状態も併せて発生するように設定しても良い。なお、表示遊技の結果が、図柄のうち非確変図柄（例えば偶数図柄「０」、「２」、「４」、「６」、「８」）の何れかで全て同一種類に揃う特定表示態様（非確率変動大当たり）に確定した場合には、確率変動状態を伴わない特別遊技状態が発生することになる。この特別遊技状態が終了した後、所定回数（例えば１００回）を限度に、次回以降の表示遊技における変動時間が短縮されるように設定しても良い。
【００４２】  表示遊技の実行中あるいは特別遊技状態の発生中に、前記始動入賞口３２に遊技球が入賞した場合には、表示遊技を実行する権利が保留として獲得され、現在進行中の表示遊技等が終了した後、保留されていた権利が順次消化されるようになっている。前記表示遊技の保留数は、例えば最大で４個と設定されている。
【００４３】  大入賞口３３は、遊技球が入賞し易い開状態と、遊技球が入賞できない通常の閉状態とに変化するように構成されている。大入賞口３３は、前記表示遊技の結果が特定表示態様となった場合に、特別遊技状態を形成するように開閉制御される。特別遊技状態は、大入賞口３３の扉が開いて遊技球が入賞し易い開状態となり、所定時間（例えば３０秒）の経過または遊技球の所定個数（例えば１０個）の入賞により扉が閉鎖されて入賞し難い閉状態となる動作が、所定の回数（例えば１５回）を上限に繰り返す状態である。
【００４４】  また、遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、各種入賞口に遊技球が入賞した際に賞出信号を機内部にある計数機に出力して、各種入賞口ごとに予め割り当てられている所定数の遊技球を計数機から上受け皿１４に払い出させる機能の他、表示遊技や特別遊技状態を制御する等の様々な機能を有している。
【００４５】  次に、遊技機１０の作用について説明する。
図１において、遊技者により遊技が開始されると、ハンドル１６の回転操作により、遊技球が１個ずつ遊技盤面１１上の遊技領域１２に打ち出される。ここで遊技球は、遊技領域１２の左端側下方より右端側上方に向けて打ち出される。
【００４６】  遊技球が打ち出される側と反対側である遊技領域１２の右端側にはガイド部材２０が設けられており、このガイド部材２０によって、遊技領域１２の右端側に飛来した遊技球は、遊技領域１２の中心部１２ａであって少なくとも１ヶ所以上に入賞口３１等が配設された箇所に向けて誘導される。
【００４７】  これにより、遊技領域１２上にて死に領域と化していた遊技球の発射領域とは反対側の右側領域も活用して、前記ガイド部材２０によって、遊技領域１２の右端側に飛来した遊技球を遊技領域１２の中心部１２ａ、かつ入賞口３１等が配設された箇所まで戻すように誘導することになる。従って、従来のアウト球を入賞口３１等に入賞する可能性が高いものに変換することができる。
【００４８】  遊技盤面１１上における遊技領域１２は、その外周に沿って設けられた外側レール１７によって区画される。そこで、前記ガイド部材２０を、外側レール１７のうち遊技領域１２の右端側上方を区画する部位に配設することにより、ガイド部材２０を特別な支持手段を別途新設することなく最適な位置に配することができる。また、ガイド部材２０は、所定幅で延びる板状部材によって形成する。これにより、ガイド部材２０を安価に製作することができコスト低減が可能となる。
【００４９】  また、前記ガイド部材２０は、遊技球を受ける側に向って湾曲した弧状に形成されている。これにより、ガイド部材２０まで飛んできて受け止めた遊技球をスムーズに入賞口３１等のある箇所まで誘導することができる。特に、ガイド部材２０における遊技球の放出端２１は、右側にあるスルーチャッカー３１に向けて配置されているから、遊技球をスルーチャッカー３１に直接誘導することになり、遊技球を確実に入賞させることができる。
【００５０】  遊技球は遊技領域１２を落下する過程でスルーチャッカー３１や始動入賞口３２等の何れかの入賞口に入賞するか、あるいは何れの入賞口にも入賞しなかった場合は最終的にアウト口１９に入り回収される。特に、遊技球が始動入賞口３２に入賞すると、所定数の遊技球が賞出される他、表示装置３４において表示遊技が開始される。この表示遊技の結果が特定表示態様（大当たり）に確定すると、大入賞口３３が所定回数を限度に繰り返し開閉する特別遊技状態が形成される。
【００５１】  図２は、本発明の第２実施の形態に係る遊技機１０を示している。
本実施の形態は、前記第１実施の形態の遊技機１０と基本的には同一の構成であるが、前記ガイド部材２０の放出端２１を、前記スルーチャッカー３１ではなく通常の入賞口３５に向けて配置している。
【００５２】  このように、ガイド部材２０の放出端２１の傍らには、様々なタイプの入賞口を配設して、ガイド部材２０によって導かれた遊技球がこれらの入賞口に直接的に入るようにすると良い。なお、第１実施の形態と同種の部位には同一符号を付して重複した説明を省略する。
【００５３】  図３および図４は、本発明の第３実施の形態に係る遊技機１０を示している。
本実施の形態は、前記第１実施の形態の遊技機１０と基本的には同一の構成であるが、ガイド部材２０ａ〜２０ｃを複数が並ぶように配設したものである。本実施の形態では、ガイド部材２０ａ〜２０ｃは合計３つであるが、２つあるいは４つ以上設けても良い。
【００５４】  各ガイド部材２０ａ〜２０ｃは互いに異なる大きさに形成されており、それぞれの基端側が遊技球が入賞し得る隙間（球入口）を空けて並ぶように配され、放出端２１は上下位置がずれた状態となっている。このように、複数のガイド部材２０ａ〜２０ｃを並ぶように配設することで、より多数の遊技球を遊技領域１２の中心部１２ａで入賞口３１等が配設された箇所まで誘導することができる。
【００５５】  図５は、本発明の第４実施の形態に係る遊技機１０を示している。
本実施の形態は、前記第３実施の形態の遊技機１０と基本的には同一の構成であるが、各ガイド部材２０ａ〜２０ｃの放出端２１を、通常の入賞口３５に向けて配置している。なお、第４実施の形態と同種の部位には同一符号を付して重複した説明を省略する。
【００５６】  図６は、本発明の第５実施の形態に係る遊技機１０を示している。
本実施の形態は、複数のガイド部材２０ａ〜２０ｄを備えており、これらを遊技領域１２の右端側のみならず左端側にも配設したものである。ここでガイド部材２０ａ〜２０ｄの数や配置位置は、適宜変更し得る設計事項である。
【００５７】  これにより、遊技領域１２の両端側から中心部１２ａに向けて遊技球を誘導することが可能となり、いっそう確実に遊技球を遊技領域１２の中心部１２ａで入賞口３１等が配設された箇所まで導くことができる。なお、各種実施の形態と同種の部位には同一符号を付して重複した説明を省略する。
【００５８】  図７は、本発明の第６実施の形態に係る遊技機１０を示している。
本実施の形態は、前記第２実施の形態の遊技機１０と基本的には同一の構成であるが、前記ガイド部材２０の放出端２１を、通常の入賞口３５ではなく可変入賞口３６に向けて配置している。この可変入賞口３６は、入口を開閉するたるの左右一対の可動片３６ａを有している。
【００５９】  また、ガイド部材２０の基端側には、遊技球の通過を検知するセンサ３７が設けられている。かかるセンサ３７は、例えば、光センサ、近接センサ、あるいは磁気センサ等の各種センサにより構成すれば良い。なお、センサ３７を設ける位置は、ガイド部材２０の基端側に限らず適所に設ければ良い。
【００６０】  本実施の形態では、前述した制御手段によって、前記センサ３７が遊技球の通過を検知した際に、前記入賞口３６の可動片３６ａを通常の閉状態から所定時間（例えば１〜数秒）に亘り開状態に開くように制御される。このように、ガイド部材２０への遊技球の通過に連動させて入賞口３６等の可動片３６ａを開く制御によって、より確実に遊技球を入賞口３６等に入賞させることができる。
【００６１】  また、センサ３７による遊技球の通過の検知に起因して、入賞口３６の可動片３６ａの開閉以外にも別の制御を実行するようにしても良い。これにより、ガイド部材２０への遊技球の通過に連動させて各種制御を行うことが可能となる。なお、各種実施の形態と同種の部位には同一符号を付して重複した説明を省略する。
【００６２】  図８は、本発明の第７実施の形態に係る遊技機１０を示している。
本実施の形態は、前記第４実施の形態の遊技機１０と基本的には同一の構成であるが、複数のガイド部材２０ａ〜２０ｃの放出端２１を、それぞれ通常の入賞口３５ではなく可変入賞口３６に向けて配置している。なお、第６実施の形態と同種の部位には同一符号を付して重複した説明を省略する。
【００６３】  本実施の形態によれば、各々のガイド部材２０ａ〜２０ｃに対応した可変入賞口３６に応じて、それぞれセンサ３７が遊技球の通過を検知した際に、前記入賞口３６の可動片３６ａを開状態に開く時間（または入賞可能な賞球数）を異なるように制御すると良い。これにより、遊技の興趣を高めることができる。
【００６４】  図９は、本発明の第８実施の形態に係る遊技機１０を示している。
本実施の形態では、前記各種実施の形態とはガイド部材２２の構造が異なる。すなわち、本実施の形態に係るガイド部材２２は、所定幅で延びる板状部材ではなく四角形断面の管状部材によって形成されている。かかるガイド部材２２は、上端側が球入口２３として開口し、下端側が球出口２４として開口している。
【００６５】  このようなガイド部材２２によれば、その内部を遊技球が通過することにより、遊技球を確実に所望の位置まで導くことができる。また、本実施の形態では、ガイド部材２２の球出口２４を出た遊技球は、空間部１２ｂを通過して特別入賞口３８に入賞すると、大入賞口３３が開閉して賞球を付与するように設定されている。なお、ガイド部材２２の具体的な断面形状は、適宜変更し得る設計事項である。図１０に示すように、複数のガイド部材２２ａ〜２２ｃを並べて配設しても良い。
【００６６】  以上、本発明の実施の形態を図面によって説明してきたが、具体的な構成はこれらの実施の形態に限られるものではなく、本発明の要旨を逸脱しない範囲における変更や追加があっても本発明に含まれる。例えば、前記ガイド部材２０，２２を、回転軸を介して揺動可能に配設しても良い。これにより、ガイド部材２０，２２によって遊技球が導かれる方向を揺動に伴い様々に変化させることができる。
【産業上の利用可能性】
【００６７】  本発明に係る遊技機はパチンコ機に限らず、プログラム制御されるスマートボールゲーム機、アレンジボールゲーム機といった他の遊技機にも同様に適用することができる。
【符号の説明】
【００６８】１０…遊技機
１１…遊技盤
１２…遊技領域
１２ａ…中心部
１２ｂ…空間部
１３…ガラス枠
１４…上受け皿
１５…下受け皿
１６…ハンドル
１７…外側レール
１８…内側レール
１９…アウト口
２０…ガイド部材
２１…放出端
２２…ガイド部材
２３…球入口
２４…球出口
３１…スルーチャッカー
３２…始動入賞口
３３…大入賞口
３４…表示装置
３５…入賞口
３６…可変入賞口
３６ａ…可動片
３７…センサ
３８…特別入賞口
【図１】
2012183271.tif 000003
【図２】
2012183271.tif 000004
【図３】
2012183271.tif 000005
【図４】
2012183271.tif 000006
【図５】
2012183271.tif 000007
【図６】
2012183271.tif 000008
【図７】
2012183271.tif 000009
【図８】
2012183271.tif 000010
【図９】
2012183271.tif 000011
【図１０】
2012183271.tif 000012